(57)【要約】【課題】異なるＩＣカード間で電話帳データの同期を行うことができる同期システムを提供する。【解決手段】同期システム１は第１の携帯端末５と、第２の携帯端末６からなり、、第１の携帯端末５の第１のＩＣカード２７内に保持された第１の電話帳データ３０５が、第２の携帯端末の第２のＩＣカード２８に送信される。  第２の携帯端末の第２のＩＣカード２８は、第１の携帯端末５から送信された第１の電話帳データ３０５と、自己の保持する第２の電話帳データ３０５ａとを比較し、異なる部分がある場合は、第２の電話帳データ３０５ａを第１の電話帳データ３０５の内容に書き換える。  このようにして異なるＩＣカード間で電話帳データの同期が行われる。【選択図】図７
2007201881.tif 000002
【特許請求の範囲】
【請求項１】
第１の携帯端末と、第２の携帯端末の間で電話帳データの同期を行う同期システムであって、
前記第１の携帯端末は、第１の端末本体と、前記第１の端末本体に設けられ、第１の電話帳データを有する第１のＩＣカードと、
を有し、
前記第２の携帯端末は、第２の端末本体と、前記第２の端末本体に設けられ、第２の電話帳データを有する第２のＩＣカードと、
を有し、
前記第１の端末本体は、
前記第１のＩＣカードに、前記第１の電話帳データの送信を要求する要求手段と、
前記要求に応じて前記第１のＩＣカードから送信された前記第１の電話帳データを前記第２の携帯端末に送信する送信手段と、
を有し、
前記第１のＩＣカードは、
前記第１の端末本体の要求に応じて前記第１の電話帳データを前記第１の端末本体に送信する送信手段を有し、
前記第２の端末本体は、
前記第１の端末から送信された前記第１の電話帳データを前記第２のＩＣカードに送信する送信手段を有し、
前記第２のＩＣカードは、
前記第２の端末本体から受信した前記第１の電話帳データを基に前記第２の電話帳データを前記第１の電話帳データと同期する同期手段を有することを特徴とする携帯端末間のデータ同期システム。
【請求項２】
第１の携帯端末と、第２の携帯端末の間で電話帳データの同期を行う同期システムに用いられる第２の携帯端末であって、
第２の端末本体と、前記第２の端末本体に設けられた第２のＩＣカードと、
からなり、
前記第２のＩＣカードは、第２の電話帳データを保持する手段を有し、
前記第２の端末本体は、
前記第１の携帯端末から送信された第１の電話帳データを受信する受信手段と、
前記第１の携帯端末から送信された第１の電話帳データを前記第２のＩＣカードに送信する送信手段と、
を有し、
前記第２のＩＣカードは、
前記第１の端末本体から受信した前記第１の電話帳データを基に前記第２の電話帳データを前記第１の電話帳データと同期する同期手段を有することを特徴とする第２の携帯端末。
【請求項３】
第１の携帯端末と、第２の携帯端末の間で電話帳データの同期を行う同期システムに用いられる第２の携帯端末が有する第２の端末本体に接続された第２のＩＣカードであって、
第２の電話帳データを保持する手段と、
前記第２の端末本体が前記第１の端末本体から受信した第１の前記電話帳データを基に前記第２の電話帳データを前記第１の電話帳データと同期する同期手段と、
を有することを特徴とする第２のＩＣカード。
【請求項４】
第１の携帯端末と、第２の携帯端末の間で電話帳データの同期を行う同期システムであって、
前記第１の携帯端末は、第１の電話帳データを有する第１のＩＣカードを有し、
前記第２の携帯端末は、第２の電話帳データを有する第２のＩＣカードを有し、
前記第１のＩＣカードは、
前記第２の携帯端末に前記第１の電話帳データを送信する送信手段を有し、
前記第２のＩＣカードは、
前記第１のＩＣカードから前記第１の電話帳データを受信する受信手段と、前記第１のＩＣカードから受信した前記第１の電話帳データを基に、前記第２の電話帳データを前記第１の電話帳データと同期する同期手段と、
を有することを特徴とする携帯端末間のデータ同期システム。
【請求項５】
第１の携帯端末と、第２の携帯端末の間で電話帳データの同期を行う同期システムに用いられる第２の携帯端末が有する第２のＩＣカードであって、
第２の電話帳データを保持する手段と、
前記第１の携帯端末が有する第１のＩＣカードから第１の電話帳データを受信する受信手段と、
前記第１のＩＣカードから受信した前記第１の電話帳データを基に、前記第２の電話帳データを前記第１の電話帳データと同期する同期手段と、
を有することを特徴とする第２のＩＣカード。
【請求項６】
携帯端末を請求項２記載の第２の携帯端末として機能させるためのプログラム。
【請求項７】
コンピュータを請求項３記載の第２のＩＣカードとして機能させるためのプログラム。
【請求項８】
コンピュータを請求項５記載の第２のＩＣカードとして機能させるためのプログラム。
【発明の詳細な説明】
【技術分野】
【０００１】
本発明は、携帯端末間のデータ同期システムに関するものである。
【背景技術】
【０００２】
従来、携帯電話等の携帯端末は、端末本体の記憶装置に利用者の電話帳データ等の個人データ等を保存していた。
【０００３】
一方、近年では、これらの情報をＩＣカードに保存し、このＩＣカードを共有することにより複数の携帯端末間で容易に情報の同期を行えるようにしているシステムがあり、以下のようなものが知られている（特許文献１）。
【特許文献１】特開２００４-８８２３５号公報
【発明の開示】
【発明が解決しようとする課題】
【０００４】
しかしながら、このようなシステムでは、異なるＩＣカード間で電話帳データの同期を行うことができない。
従って、異なるＩＣカード間で電話帳データの同期を行いたい場合は、一旦電話帳データを相手の端末側に送信し、相手の端末本体の記憶装置に電話帳データを保存してからＩＣカードに電話帳データを送信、同期しなくてはならなかった。
【０００５】
本発明は、このような問題に鑑みてなされたもので、その目的は異なるＩＣカード間で電話帳データの同期を行うことができる同期システムを提供することにある。
【課題を解決するための手段】
【０００６】
前述した目的を達成するために、第１の発明は、第１の携帯端末と、第２の携帯端末の間で電話帳データの同期を行う同期システムであって、前記第１の携帯端末は、第１の端末本体と、前記第１の端末本体に設けられ、第１の電話帳データを有する第１のＩＣカードと、を有し、前記第２の携帯端末は、第２の端末本体と、前記第２の端末本体に設けられ、第２の電話帳データを有する第２のＩＣカードと、を有し、前記第１の端末本体は、前記第１のＩＣカードに、前記第１の電話帳データの送信を要求する要求手段と、前記要求に応じて前記第１のＩＣカードから送信された前記第１の電話帳データを前記第２の携帯端末に送信する送信手段と、を有し、前記第１のＩＣカードは、前記第１の端末本体の要求に応じて前記第１の電話帳データを前記第１の端末本体に送信する送信手段を有し、前記第２の端末本体は、前記第１の端末から送信された前記第１の電話帳データを前記第２のＩＣカードに送信する送信手段を有し、前記第２のＩＣカードは、前記第２の端末本体から受信した前記第１の電話帳データを基に前記第２の電話帳データを前記第１の電話帳データと同期する同期手段を有することを特徴とする携帯端末間のデータ同期システムである。
【０００７】
第２の発明は、第１の携帯端末と、第２の携帯端末の間で電話帳データの同期を行う同期システムに用いられる第２の携帯端末であって、第２の端末本体と、前記第２の端末本体に設けられた第２のＩＣカードと、からなり、前記第２のＩＣカードは、第２の電話帳データを保持する手段を有し、前記第２の端末本体は、前記第１の携帯端末から送信された第１の電話帳データを受信する受信手段と、前記第１の携帯端末から送信された第１の電話帳データを前記第２のＩＣカードに送信する送信手段と、を有し、前記第２のＩＣカードは、前記第１の端末本体から受信した前記第１の電話帳データを基に前記第２の電話帳データを前記第１の電話帳データと同期する同期手段を有することを特徴とする第２の携帯端末である。
【０００８】
第３の発明は、第１の携帯端末と、第２の携帯端末の間で電話帳データの同期を行う同期システムに用いられる第２の携帯端末が有する第２の端末本体に接続された第２のＩＣカードであって、第２の電話帳データを保持する手段と、前記第２の端末本体が前記第１の端末本体から受信した第１の前記電話帳データを基に前記第２の電話帳データを前記第１の電話帳データと同期する同期手段と、を有することを特徴とする第２のＩＣカードである。
【０００９】
第４の発明は第１の携帯端末と、第２の携帯端末の間で電話帳データの同期を行う同期システムであって、前記第１の携帯端末は、第１の電話帳データを有する第１のＩＣカードを有し、前記第２の携帯端末は、第２の電話帳データを有する第２のＩＣカードを有し、前記第１のＩＣカードは、前記第２の携帯端末に前記第１の電話帳データを送信する送信手段を有し、前記第２のＩＣカードは、前記第１のＩＣカードから前記第１の電話帳データを受信する受信手段と、前記第１のＩＣカードから受信した前記第１の電話帳データを基に、前記第２の電話帳データを前記第１の電話帳データと同期する同期手段と、を有することを特徴とする携帯端末間のデータ同期システムである。
【００１０】
第５の発明は、第１の携帯端末と、第２の携帯端末の間で電話帳データの同期を行う同期システムに用いられる第２の携帯端末が有する第２のＩＣカードであって、第２の電話帳データを保持する手段と、前記第１の携帯端末が有する第１のＩＣカードから第１の電話帳データを受信する受信手段と、前記第１のＩＣカードから受信した前記第１の電話帳データを基に、前記第２の電話帳データを前記第１の電話帳データと同期する同期手段と、を有することを特徴とする第２のＩＣカードである。
【００１１】
第６の発明は、コンピュータを第２の発明記載の第２の携帯端末として機能させるためのプログラムである。
第７の発明は、ＩＣカードを第３の発明記載の第２のＩＣカードとして機能させるためのプログラムである。
第８の発明は、ＩＣカードを第５の発明記載の第２のＩＣカードとして機能させるためのプログラムである。
【発明の効果】
【００１２】
本発明によれば、異なるＩＣカード間で電話帳データの同期を行うことができる同期システムを提供することができる。
【発明を実施するための最良の形態】
【００１３】
以下、図面に基づいて本発明に好適な実施形態を詳細に説明する。図１は、第１の実施形態に係る同期システム１の構成を示す図であって、図２は図１の第１の携帯端末５のハードウェア構成を示す図である。
さらに、図３は第１の端末本体２５の記憶部４１の構成を示す図であって、図４は第１のＩＣカード２７のハードウェア構成を示す図である。
【００１４】
また、図５は第１のＩＣカード２７の記憶部７１の構成を示す図であって、図６は第１の電話帳データ３０５の構成を示す図である。
【００１５】
図１に示すように、同期システム１は、第１の携帯端末５と第２の携帯端末６からなり、第１の携帯端末５と第２の携帯端末６に設けられた赤外線受発光機６１、６２を用いた通信手段または非接触ＩＣカードインタフェースを介して互いに接続されている。
【００１６】
第１の携帯端末５は第１の端末本体２５と、第１の端末本体２５に接続された第１のＩＣカード２７を有している。
第２の携帯端末６は第２の端末本体２６と、第２の端末本体２６に接続された第２のＩＣカード２８を有している。
【００１７】
第１の端末本体２５は携帯電話等であり、図２に示すように、制御部３９、記憶部４１、通信部４３、入力部４５、表示部４７、インタフェース部３１、カメラ５３、赤外通信部５５、マイク５７等がバス５１を介して互いに接続されている。
【００１８】
制御部３９は、ＣＰＵ、ＲＯＭ、ＲＡＭ等で構成され、記憶部４１に格納されたプログラムに従って、バス５１を介して接続された各装置を駆動制御する。
【００１９】
記憶部４１には、図３に示すように、第１の端末本体２５の各構成部分を駆動制御するための制御プログラム２０１、本発明を実施するための電話帳情報送信プログラム２０３、電話帳情報受信プログラム２０５が格納されている。
【００２０】
これらの各プログラムコードは、制御部３９により必要に応じて読み出されてＲＡＭに移され、ＣＰＵに読み出されて各種の手段として実行される。
【００２１】
入力部４５、表示部４７は第１の端末本体２５が、他の携帯端末と通話、通信を行う際や、第１の端末本体２５の動作設定の際に用いられる。
カメラ５３はデジタルカメラ等であり、写真の撮影に用いられる。
マイク５７は、通話の際に用いられる。
【００２２】
赤外通信部５５は赤外線を用いて他の携帯端末とデータの送受信を行う際に用いられ、赤外線受発光機６１が設けられている。
非接触インタフェース部６２は、非接触ＩＣ通信を用いて他の携帯端末とデータの送受信を行う際に用いられ、非接触ＩＣアンテナ６３が設けられている。
【００２３】
通信部４３は、他の携帯端末と通話や通信を行う際に用いられ、通信用のアンテナ５９が接続されている。
【００２４】
インタフェース部３１は周辺機器を接続するためのポートであり、第１のＩＣカード２７、メモリカード２９が接続されている。
【００２５】
図４に示すように、第１のＩＣカード２７は制御部６９、記憶部７１、インタフェース部７３がバス７５を介して互いに接続されている。
なお、インタフェース部７３には端末本体２５が接続されている。
【００２６】
制御部６９は、ＣＰＵ、ＲＯＭ、ＲＡＭ等で構成され、記憶部７１に格納されたプログラムに従って、バス７５を介して接続された各装置を駆動制御する。
【００２７】
記憶部７１には、図５に示すように、第１のＩＣカード２７の各構成部分を駆動制御するための制御プログラム３０１、本発明を実施するための電話帳情報送信プログラム３０２、電話帳情報受信プログラム３０３、同期プログラム３０４が格納されている。
【００２８】
また、第１の携帯端末５が保持する電話番号および関連する情報の集合である第１の電話帳データ３０５が格納されている。
【００２９】
これらの各プログラムコードは、制御部６９により必要に応じて読み出されてＲＡＭに移され、ＣＰＵに読み出されて各種の手段として実行される。
【００３０】
図６に示すように、第１の電話帳データ３０５は電話帳番号３０６、電話番号３０７、発着信回数３０８等からなる。
なお、これ以外にも電話番号の所有者の氏名、住所、メールアドレス等の情報を含めてもよい。
【００３１】
第１の携帯端末５の使用者は、第１の電話帳データ３０５を閲覧することにより、電話番号を確認し、電話をかけたい場合は、電話帳データ３０５にアクセスすることにより電話をかけることができる。
【００３２】
なお、第２の携帯端末６のＩＣカード２８の記憶部７１には、第２の電話帳データ３０５ａが格納されているが、構成は第１の電話帳データ３０５と同様であるため、説明を省略する。
【００３３】
また、第２の携帯端末６の構成は、第１の携帯端末５と同様であるため、説明を省略する。
【００３４】
次に、同期システム１の動作について説明する。
図７は第１の携帯端末５と第２の携帯端末６が電話帳データを同期する際の動作を示すフローチャートである。
【００３５】
図７では第１の携帯端末５が第１の電話帳データ３０５を送信し、第２の携帯端末６が、受信した第１の電話帳データ３０５を基に、自己の保持する第２の電話帳データ３０５ａを同期する。
【００３６】
まず、第１の携帯端末５の端末本体２５の制御部３９は、電話帳情報送信プログラム２０３を起動し、第１のＩＣカード２７に対して電話帳情報送信プログラム３０２を起動する指令を送信する（ステップ４０１）。
【００３７】
起動する指令を受信した第１のＩＣカード２７の制御部６９は、電話帳情報送信プログラム３０２を起動し（ステップ４０２）、端末本体２５の制御部３９に対して、赤外通信部５５または非接触ＩＣインタフェース部６２を送信モードにする指令を送る（ステップ４０３）。
【００３８】
指令を受信した端末本体２５の制御部３９は、赤外通信部５５または非接触ＩＣインタフェース部６２を送信モードにする（ステップ４０４）。
【００３９】
次に、第１の端末本体２５の制御部３９は、第２の携帯端末６の端末本体２６に対して第１の電話帳データ３０５の受信を要求する（ステップ４０５）。
【００４０】
一方、第２の携帯端末６は第１の携帯端末５がステップ４０１〜４０５の動作を行っている間に、以下のステップ４０６〜４０９の動作を行う。
【００４１】
まず、第２の携帯端末６の端末本体２６の制御部３９は、電話帳情報受信プログラム２０５を起動し、第２のＩＣカード２８に対して電話帳情報受信プログラム３０３を起動する指令を送信する（ステップ４０６）。
【００４２】
起動する指令を受信した第２のＩＣカード２８の制御部６９は、電話帳情報受信プログラム３０３を起動し（ステップ４０７）、第２の端末本体２６の制御部３９に対して、赤外通信部５５または非接触ＩＣインタフェース部６２を受信モードにする指令を送る（ステップ４０８）。
【００４３】
指令を受信した第２の端末本体２６の制御部３９は、赤外通信部５５または非接触ＩＣインタフェース部６２を受信モードにする（ステップ４０９）。
【００４４】
次に、ステップ４０５の要求を受信した第２の携帯端末６の第２の端末本体２６は、第１の携帯端末５に対して第１の電話帳データ３０５の送信を要求する（ステップ４１０）。
【００４５】
このようにして、第１の携帯端末５が第１の電話帳データの受信を要求し、第２の携帯端末６が電話帳データの送信を要求することにより、初めて電話帳データの同期が可能になる。
【００４６】
なお、第１の携帯端末５と第２の携帯端末６の両方が電話帳データの送信を要求したり、逆に両方が電話帳データの受信を要求したりした場合は、電話帳情報送信プログラム２０３、３０２、電話帳情報受信プログラム２０５、３０３は終了し、電話帳データの同期は行われない。
【００４７】
次に、第１の携帯端末５の端末本体２５の制御部３９は、第１のＩＣカード２７に対して第１の電話帳データ３０５の送信を要求する（ステップ４１１）。
【００４８】
要求を受けた第１のＩＣカード２７は制御部３９に対して第１の電話帳データ３０５を送信する（ステップ４１２）。
第１の電話帳データ３０５を受信した制御部３９は、第２の携帯端末６に第１の電話帳データ３０５を送信する。（ステップ４１３）。
【００４９】
第１の電話帳データ３０５を受信した第２の携帯端末６の端末本体２６の制御部３９は、第２のＩＣカード２８に第１の電話帳データ３０５を送信する。（ステップ４１４）。
【００５０】
第１の電話帳データ３０５を受信した第２のＩＣカード２８は、同期プログラム３０４を起動し、第１の携帯端末５から送信された第１の電話帳データ３０５を基に、自己の保持する第２の電話帳データ３０５ａを同期する（ステップ４１５）。
【００５１】
具体的には第１の携帯端末５から送信された第１の電話帳データ３０５と自己の保持する第２の電話帳データ３０５ａを比較し、異なる部分がある場合は、該当する部分を第１の電話帳データ３０５の内容に書き換える。
【００５２】
同期が終了すると第２のＩＣカード２８は、第２の端末本体２６の制御部３９に対して同期が成功したことを示す情報である同期成功情報を送信する（ステップ４１６）。
【００５３】
同期成功情報を受信した第２の端末本体２６の制御部３９は、第１の携帯端末５に対して同期成功情報を送信する（ステップ４１７）。
【００５４】
第１の携帯端末５の端末本体２５の制御部３９は、同期成功情報を受信する（ステップ４１８）。これにより、第１の携帯端末５は同期が成功したことを知ることができる。
【００５５】
このようにして第１の携帯端末５の第１のＩＣカード２７と第２の携帯端末６の第２のＩＣカード２８との間で電話帳データの同期が行われる。
【００５６】
このように、第１の実施の形態によれば、同期システム１が第１の携帯端末５と第２の携帯端末６からなり、第１の携帯端末５に接続された第１のＩＣカード２７と、第２の携帯端末６に接続された第２のＩＣカード２８との間で電話帳データの同期が行われる。
従って、異なるＩＣカード間で電話帳データの同期を行うことができる。
【００５７】
次に、第２の実施形態について説明する。
図８は第２の実施形態に係る同期システム１ａに用いられる第１の携帯端末５ａのハードウェア構成を示す図である。なお、第２の携帯端末６ａのハードウェア構成は第１の携帯端末５ａと同様であるため、説明を省略する。
【００５８】
なお、第１の実施形態と同様の機能を果たす要素には同一の番号を付し、説明を省略する。
【００５９】
第２の実施形態に係る同期システム１ａでは、図８に示す第１の端末本体２５ａの制御機能を用いず、第１のＩＣカード２７が第１の端末本体２５ａの各装置を駆動制御する。
同様に、第２の端末本体２６ａの制御機能も使用せず、第２のＩＣカード２８ａが第２の端末本体２６ａの各装置を駆動制御する。
【００６０】
なお、同期システム１ａの構成および第１のＩＣカード２７のハードウェア構成、記憶部７１の構成、第１の電話帳データ３０５の構成は第１の実施形態と同様であるため、説明を省略する。
【００６１】
次に、同期システム１ａの動作について説明する。
図９は第１の携帯端末５ａと第２の携帯端末６ａが電話帳データを同期する際の動作を示すフローチャートである。
【００６２】
図９では第１の携帯端末５ａが第１の電話帳データ３０５を送信し、第２の携帯端末６ａが、受信した第１の電話帳データ３０５を基に、自己の保持する第２の電話帳データ３０５ａを同期する。
【００６３】
まず、第１の携帯電話５ａの第１のＩＣカード２７の制御部６９は、電話帳情報送信プログラム３０２を起動し（ステップ５０１）、赤外通信部５５または非接触ＩＣインタフェース部６２を送信モードにする（ステップ５０２）。
【００６４】
次に、第１のＩＣカード２７の制御部６９は、第２の携帯端末６ａの第２のＩＣカード２８に対して第１の電話帳データ３０５の受信を要求する（ステップ５０３）。
【００６５】
一方、第２の携帯端末６ａは第１の携帯端末５ａがステップ５０１〜５０３の動作を行っている間に、以下のステップ５０４〜５０５の動作を行う。
【００６６】
まず、第２の携帯端末６ａの第２のＩＣカード２８の制御部６９は、電話帳情報受信プログラム３０３を起動し（ステップ５０４）、赤外通信部５５または非接触ＩＣインタフェース部６２を受信モードにする（ステップ５０５）。
【００６７】
次に、ステップ５０３の要求を受信した第２の携帯端末６ａの第２のＩＣカード２８の制御部６９は、第１の携帯端末５ａに対して第１の電話帳データ３０５の送信を要求する（ステップ５０６）。
【００６８】
このようにして、第１の携帯端末５ａが第１の電話帳データ３０５の送信を要求し、第２の携帯端末６ａが第１の電話帳データ３０５の受信を要求することにより、初めて電話帳データの同期が可能になる。
【００６９】
なお、第１の携帯端末５ａと第２の携帯端末６ａの両方が電話帳データの送信を要求したり、逆に両方が電話帳データの受信を要求したりした場合は、電話帳情報送信プログラム３０２、電話帳情報受信プログラム３０３は終了し、電話帳データの同期は行われない。
【００７０】
次に、第１の携帯端末５ａの第１のＩＣカード２７は第２の携帯端末６ａに第１の電話帳データ３０５を送信する。（ステップ５０７）。
【００７１】
第１の電話帳データ３０５を受信した第２の携帯端末６ａの第２のＩＣカード２８は、同期プログラム３０４を起動し、第１の携帯端末５ａから送信された第１の電話帳データ３０５を基に、自己の保持する第２の電話帳データ３０５ａを同期する（ステップ５０８）。
【００７２】
具体的には第１の携帯端末５ａから送信された第１の電話帳データ３０５と自己の保持する第２の電話帳データ３０５ａを比較し、異なる部分がある場合は、該当する部分を第１の携帯端末５ａから送信された第１の電話帳データ３０５の内容に書き換える。
【００７３】
同期が終了すると第２のＩＣカード２８は、第１の携帯端末５ａに対して同期成功情報を送信する（ステップ５０９）。
【００７４】
第１の携帯端末５ａの第１のＩＣカード２７は、同期成功情報を受信する（ステップ５１０）。これにより、第１の携帯端末５ａは同期が成功したことを知ることができる。
【００７５】
このようにして第１の携帯端末５ａの第１のＩＣカード２７と第２の携帯端末６ａの第２のＩＣカード２８との間で電話帳データの同期が行われる。
【００７６】
このように、第２の実施の形態によれば、同期システム１が第１の携帯端末５ａと第２の携帯端末６ａを有し、第１の携帯端末５ａの第１のＩＣカード２７と第２の携帯端末６ａの第２のＩＣカード２８との間で電話帳データの同期が行われる。
従って、第１の実施形態と同様の効果を奏する。
【００７７】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００７８】
例えば、第１の実施形態および第２の実施形態では、第１の携帯端末と第２の携帯端末のいずれも電話帳データの送受信が可能な構成となっているが、一方を送信機能のみを有する構成とし、他方を受信機能のみを有する構成としてもよい。
【図面の簡単な説明】
【００７９】
【図１】同期システム１の構成を示す図
【図２】第１の携帯端末５のハードウェア構成を示す図
【図３】第１の端末本体２５の記憶部４１の構成を示す図
【図４】第１のＩＣカード２７のハードウェア構成を示す図
【図５】第１のＩＣカード２７の記憶部６９の構成を示す図
【図６】電話帳データ３０５の構成を示す図
【図７】第１の携帯端末５と第２の携帯端末６が電話帳データを同期する際の動作を示すフローチャート
【図８】第１の携帯端末５ａのハードウェア構成を示す図
【図９】第１の携帯端末５ａと第２の携帯端末６ａが電話帳データを同期する際の動作を示すフローチャート
【符号の説明】
【００８０】
１…………同期システム
５…………第１の携帯端末
６…………第２の携帯端末
２５………第１の端末本体
２６………第２の端末本体
２７………第１のＩＣカード
２８………第２のＩＣカード
２９………メモリカード
３１………インタフェース部
３９………制御部
４１………記憶部
４３………通信部
６９………制御部
７１………記憶部
３０５……第１の電話帳データ
３０５ａ…第２の電話帳データ
【図１】
2007201881.tif 000003
【図２】
2007201881.tif 000004
【図３】
2007201881.tif 000005
【図４】
2007201881.tif 000006
【図５】
2007201881.tif 000007
【図６】
2007201881.tif 000008
【図７】
2007201881.tif 000009
【図８】
2007201881.tif 000010
【図９】
2007201881.tif 000011